(57)【要約】【課題】アンテナが設けられたタッチパネルにおいて、表示パネルによる表示の視認性をアンテナの性能を低下させることなく安価に向上させる。【解決手段】タッチパネル３の裏面側における有効タッチ領域３ａの周囲の領域に、有効タッチ領域３ａを取り囲むように、銅などの導電性に優れた安価な金属材料を用いて印刷やエッチング等によって複数のアンテナパターン５を直接形成する。あるいは、アンテナパターン５を形成した図示しない透明なフィルムをタッチパネル３の裏面に貼り付けてもよい。タッチパネル３の全体を小型化する観点から、上記のアンテナパターン５を、有効タッチ領域３ａに極力近接して形成する。タッチパネル３の有効タッチ領域３ａ（表示パネル４の表示領域）にアンテナパターン５が形成されていないので、表示パネル４による表示がアンテナパターン５によって遮られることはない。また、アンテナを形成するためのスペースを小さくすることができる。【選択図】図１
0003160091.tif 000002
【実用新案登録請求の範囲】
【請求項１】
タッチパネルにアンテナが設けられている近距離無線通信用アンテナ付タッチパネルにおいて、
前記タッチパネルにおける有効タッチ領域の周囲の領域に当該有効タッチ領域を取り囲むように前記アンテナを構成するアンテナパターンが形成されていることを特徴とする近距離無線通信用アンテナ付タッチパネル。
【請求項２】
タッチパネルにアンテナが設けられている近距離無線通信用アンテナ付タッチパネルにおいて、
前記タッチパネルに前記アンテナを構成するアンテナパターンが形成され、当該アンテナパターンが、前記タッチパネルと組み合わされる表示パネルに表示される垂直方向の画素列に対して１５°以上の角度をなすように傾斜していることを特徴とする近距離無線通信用アンテナ付タッチパネル。
【請求項３】
前記アンテナパターンが透明なフィルム基材上に形成され、
当該フィルム基材が、前記タッチパネルに貼り付けられるとともに、アンテナパターンの形状に沿った外形に形成されていることを特徴とする請求項２に記載の近距離無線通信用アンテナ付タッチパネル。
【請求項４】
アンテナを構成するアンテナパターンが方形をなすループ部を含み、タッチパネルに貼り付けられるフィルム基材と、
前記アンテナパターンと接続されて前記アンテナパターンを用いた送受信処理を行う送受信処理部品とを備えていることを特徴とする近距離無線通信用部品。
【請求項５】
前記フィルム基材が前記アンテナパターンの形状に沿った外形に形成されていることを特徴とする請求項４に記載の近距離無線通信用部品。
【考案の詳細な説明】
【技術分野】
【０００１】
本考案は、ＲＦＩＤ（Radio Frequency IDentification）のような近距離無線通信を用いて非接触にＩＣカード等に対して情報を読み書きするためにデータを送受信する近距離無線通信用アンテナを備えたタッチパネルおよびタッチパネルに取り付け可能な近距離無線通信用アンテナを備えた近距離無線通信用部品に関するものである。
【背景技術】
【０００２】
近年、ＲＦＩＤ技術を用いて非接触にてデータ通信を行う研究開発が進んでおり、交通機関用の乗車カードや、電子決済のためのＩＣカードだけではなく、データ通信用のＩＣチップを搭載した携帯電話等も普及してきている。
【０００３】
また、上記のようなデータ通信技術とタッチパネルとの融合を図る試みが進められている（例えば特許文献１）。特許文献１には、タッチパネルに無線通信のためのアンテナが設けられ、ＩＣカードをタッチパネルに近づけると、アンテナとＩＣカードとの間で無線通信が行われることが記載されている（図４および図１０参照）。これに対し、特許文献２には、アンテナをタッチパネルに設けた場合、タッチパネルを介したディスプレイによる表示の妨げになることから、フェライトコアにコイルを巻いて構成したアンテナを表示パネル（タッチパネル）の周囲に配置することにより、磁力線を表示パネル上に発生させることが記載されている。これにより、タッチパネルにアンテナを設けることなく、タッチパネル上でＩＣカードと通信することができる。
【先行技術文献】
【特許文献】
【０００４】
【特許文献１】特開２００６−１９５９２５号公報（２００６年７月２７日公開）
【特許文献２】特開２０１０−３９７０４号公報（２０１０年２月１８日公開）
【考案の概要】
【考案が解決しようとする課題】
【０００５】
特許文献１には、アンテナが透明配線であることが記載されているので（段落〔００３３〕）、表示パネルの表示の妨げを回避することができる。しかしながら、透明配線材料（インジウム錫酸化物等）が一般に高価であることから、アンテナを含むタッチパネルシステムの低コスト化を図る上では不利であることと、透明配線材料がアンテナ利得の低下を招くことが問題となる。
【０００６】
また、特許文献２に記載されたアンテナは、フェライトコアにコイルを巻いて構成されるので、大型化している。このため、このようなアンテナを表示パネルの周囲に配置すると、これらを含む装置全体が大型化することになる。
【０００７】
本考案は、上記の問題点に鑑みてなされたものであり、アンテナが設けられたタッチパネルにおいて、表示パネルによる表示の視認性をアンテナの性能を低下させることなく安価に向上させることを目的としている。
【課題を解決するための手段】
【０００８】
本考案に係る近距離無線通信用アンテナ付タッチパネルは、タッチパネルにアンテナが設けられている近距離無線通信用アンテナ付タッチパネルにおいて、上記の課題を解決するために、前記タッチパネルにおける有効タッチ領域の周囲の領域に当該有効タッチ領域を取り囲むように前記アンテナを構成するアンテナパターンが形成されていることを特徴としている。
【０００９】
タッチパネルの有効タッチ領域は、一般にタッチパネルと組み合わされる表示パネルの表示領域とほぼ一致する。したがって、有効タッチ領域にアンテナパターンが形成されていないことにより、表示パネルによる表示がアンテナパターンによって遮られることはない。また、アンテナパターンが有効タッチ領域を取り囲むように形成されているので、特許文献２のように大きいアンテナを表示パネルの周囲に配置する構成と異なり、アンテナを形成するためのスペースを小さくすることができる。それゆえ、タッチパネルを組み込む装置を小型化することができる。また、アンテナパターンに高価な透明配線材料を用いる必要がない。
【００１０】
本考案に係る他の近距離無線通信用アンテナ付タッチパネルは、タッチパネルにアンテナが設けられている近距離無線通信用アンテナ付タッチパネルにおいて、上記の課題を解決するために、前記タッチパネルに前記アンテナを構成するアンテナパターンが形成され、当該アンテナパターンが、前記タッチパネルと組み合わされる表示パネルに表示される垂直方向の画素列に対して１５°以上の角度をなすように傾斜していることを特徴としている。
【００１１】
上記の構成では、アンテナパターンがこのように傾斜することにより、アンテナパターンと垂直方向の画素列との間で干渉が生じにくくなるので、モアレの発生を抑制することができる。これに対し、引用文献１に記載されているようにアンテナが透明配線であっても、アンテナと垂直方向の画素列との間の角度が１５°未満であれば、垂直方向の画素列との間で干渉が生じてモアレが発生しやすくなる。したがって、透明配線を用いなくても、表示パネルの表示品位の低下を抑制することができる。
【００１２】
前記近距離無線通信用アンテナ付タッチパネルにおいて、前記アンテナパターンが、透明なフィルム基材上に形成され、当該フィルム基材が前記タッチパネルに貼り付けられるとともに、アンテナパターンの形状に沿った外形に形成されていることが好ましい。
【００１３】
このようにフィルム基材がアンテナパターンの形状に沿った外形に形成されていることにより、フィルム基材を極力小さく形成することができる。それゆえ、１つのフィルム材料から、より多くのフィルム基材を得ることができる。
【００１４】
本考案に係る前記近距離無線通信用部品は、上記の課題を解決するために、アンテナを構成するアンテナパターンが方形をなすループ部を含み、タッチパネルに貼り付けられるフィルム基材と、前記アンテナパターンと接続されて前記アンテナパターンを用いた送受信処理を行う送受信処理部品とを備えていることを特徴としている。
【００１５】
少なくとも、アンテナパターンの主要部分であるループ部が方形をなしていれば、フィルム基材をタッチパネルに貼り付けるときに、垂直方向の画素列に対して１５°以上の角度をなすようにループ部の傾きを調整してアンテナパターンを配置することができる。これにより、上記のように、アンテナパターンと垂直方向の画素列との間で干渉を生じにくくして、モアレの発生を抑制することができる。
【００１６】
また、上記のような近距離無線通信用部品を予め製作しておくことにより、如何なるサイズのタッチパネルとでも近距離無線通信用部品を組み合わせることができる。これにより、電波法で規定された総務大臣による型式指定を近距離無線通信用部品に対して受けることにより、近距離無線通信用部品と組み合わされたタッチパネルについては型式指定を受ける必要がない。これにより、サイズの異なるタッチパネルを製品として出荷できるまでの期間を短縮することができる。
【００１７】
前記近距離無線通信用部品において、前記フィルム基材が前記アンテナパターンの形状に沿った外形に形成されていることが好ましい。
【００１８】
これにより、近距離無線通信用アンテナ付タッチパネルと同様、フィルム基材を極力小さく形成することができる。それゆえ、１つのフィルム材料から、より多くのフィルム基材を得ることができる。
【考案の効果】
【００１９】
本考案に係る近距離無線通信用アンテナ付タッチパネルは、以上のように構成されることにより、表示パネルによる表示の視認性をアンテナの性能を低下させることなく安価に向上させることができるという効果を奏する。
【図面の簡単な説明】
【００２０】
【図１】（ａ）は本考案の実施の形態１に係る表示入力装置の構造を示す平面図であり、（ｂ）は当該表示入力装置の構造を示す側面図である。
【図２】（ａ）は本考案の実施の形態２に係る表示入力装置の構造を示す平面図であり、（ｂ）は当該表示入力装置の構造を示す側面図である。
【図３】（ａ）および（ｂ）は本考案の実施の形態２，３にも適用可能なアンテナパターンの他の構造を示す図である。
【図４】（ａ）は本考案の実施の形態３に係る表示入力装置の構造を示す平面図であり、（ｂ）は当該表示入力装置の構造を示す側面図である。
【図５】本考案の実施の形態４に係るリーダ／ライタモジュールの構成を示す平面図である。
【考案を実施するための形態】
【００２１】
〔実施の形態１〕
本考案の実施形態について図１に基づいて説明すると以下の通りである。
【００２２】
図１（ａ）および（ｂ）に示すように、表示入力装置１は、筐体２と、タッチパネル３と、表示パネル４とを備えている。
【００２３】
筐体２は、額縁形状に形成されており、その開口部からタッチパネル３の有効タッチ領域３ａが露出するように、タッチパネル３が取り付けられている。表示入力装置１は、筐体２によって表示入力装置１を搭載する装置に取り付けられることにより、当該装置に組み込まれる。
【００２４】
タッチパネル３の背後には、表示パネル４が配置されている。表示パネル４は、液晶パネルやＥＬパネル等の平板型の表示パネルが好適に用いられる。
【００２５】
タッチパネル３は、抵抗膜式、静電容量方式、超音波方式、光学式等であり、その種類は限定されない。このタッチパネル３は、図示はしないが、一対の透明な基板が所定の間隔をおいて対向するように配置されており、有効タッチ領域３ａにおける両基板の内側には、タッチ位置を電気信号として検出するための電極が形成されている。タッチパネル３の裏面側における有効タッチ領域３ａの周囲の領域には、有効タッチ領域３ａを取り囲むように、複数のアンテナパターン５が直接形成されている。また、タッチパネル３の全体を小型化する観点から、上記のアンテナパターン５は、有効タッチ領域３ａに極力近接して形成されることが好ましい。アンテナパターン５は、銅などの導電性に優れた金属材料を用いて印刷やエッチング等によって形成されている。
【００２６】
なお、アンテナパターン５をタッチパネル３に直接形成する以外に、アンテナパターン５を形成した図示しない透明なフィルムをタッチパネル３の裏面に貼り付けてもよい。また、アンテナパターン５は、タッチパネル３の裏面側ではなく表面側に設けられてもよいし、タッチパネル３を構成するいずれかの基板の内側面に設けられてもよい。
【００２７】
上記のように構成される表示入力装置１においては、タッチパネル３の有効タッチ領域３ａ（表示パネル４の表示領域）にアンテナパターン５が形成されていないので、表示パネル４による表示がアンテナパターン５によって遮られることはない。また、アンテナパターン５がタッチパネル３の裏面側で有効タッチ領域３ａを取り囲むように形成されているので、特許文献２のように大きいアンテナを表示パネルの周囲に配置する構成と異なり、アンテナを形成するためのスペースを小さくすることができる。それゆえ、表示入力装置１を小型化することができる。また、アンテナパターン５に高価でアンテナ利得を低下させる透明配線材料を用いる必要がないので、アンテナ性能を低下させることなくアンテナ付のタッチパネル３を安価に提供することができる。
【００２８】
上記の構成は、有効タッチ領域３ａが３．５インチ以下の小型のタッチパネル３に向いている。このため、ＩＣカード等を有効タッチ領域３ａに当てても、正しくアンテナパターン５と通信を行うことができる。これに対し、有効タッチ領域３ａが３．５インチを越える大きさとなる場合は、アンテナパターン５が大きくなりすぎて、アンテナ効率が低下する。このため、有効タッチ領域３ａ内ではアンテナの効力が弱まるので、有効タッチ領域３ａにＩＣカードを当てても、ＩＣカードへの電力供給が正常にできなくなる。したがって、大型のタッチパネルに対しては、本実施形態の構成は不向きである。
【００２９】
〔実施の形態２〕
本考案の実施形態について図２および図３に基づいて説明すると以下の通りである。
【００３０】
図２（ａ）および（ｂ）に示すように、表示入力装置１１は、筐体１２と、タッチパネル１３と、表示パネル１４とを備えている。
【００３１】
筐体１２は、額縁形状に形成されており、その開口部からタッチパネル１３が露出するように、前述のタッチパネル３と同様のタッチパネル１３が取り付けられている。また、タッチパネル１３の背後には、前述の表示パネル４と同様の表示パネル１４が配置されている。
【００３２】
タッチパネル１３の裏面側には、アンテナパターン１５が形成された透明なフィルム基材１６が貼り付けられている。このフィルム基材１６は、タッチパネル１３とほぼ同じ大きさに形成されている。上記のアンテナパターン１５は、前述のアンテナパターン５と同様に、銅などの導電性に優れた金属材料を用いて印刷やエッチング等によってフィルム基材１６上に形成されている。
【００３３】
なお、アンテナパターン１５はタッチパネル１３の裏面側に設けられているが、図２（ａ）では、便宜上、アンテナパターン１５を実線にて描いている。また、アンテナパターン１５は、タッチパネル１３の裏面側ではなく表面側に設けられてもよいし、タッチパネル１３を構成するいずれかの基板の内側面に設けられてもよい。
【００３４】
複数のアンテナパターン１５は、ループ部１５ａと、引出部１５ｂとを有している。ループ部１５ａは、アンテナの本体部分を形成するループ部分であり、方形をなしている。２つの引出部１５ｂは、ループ１５ａに対する伝送経路となっており、ループ部１５ａの両端からタッチパネル１３の端部にまで伸び、タッチパネル１３の端部に向かうに連れて互いの間隔が広がるように形成されている。アンテナパターン１５は、引出部１５ｂの端部でコントロールモジュール（例えば図５に示すコントロールモジュール３３）と接続される。
【００３５】
ここで、ループ部１５ａおよび引出部１５ｂは、表示パネル１４に表示されるマトリクス状の画素のうち、垂直方向に並ぶ画素列に対して１５°以上の角度をなすように傾斜している。ループ部１５ａおよび引出部１５ｂがこのように傾斜することにより、ループ部１５ａおよび引出部１５ｂと画素列との間で干渉が生じにくくなるので、モアレの発生を抑制することができる。これにより、表示パネル１４の表示品位の低下を抑制することができる。
【００３６】
これに対して、ループ部１５ａを円形または湾曲形状に形成すると、ループ部１５ａと垂直方向の画素列とのなす角度が１５°未満となる箇所が存在するので、その箇所においてモアレが発生してしまう。このため、ループ部１５ａおよび引出部１５ｂは、直線状に形成されて上記の角度の範囲で傾斜していることが好ましい。また、ループ部１５ａは、ＩＣカードに対して電力の伝達が容易であるという観点からも、方形であることが好ましい。
【００３７】
引出部１５ｂについては、１５°以上で極力大きく傾斜していることがモアレの発生をより抑制する上で好ましい。しかしながら、アンテナの性能面では、両方の引出部１５ｂの間隔を広げることは、２つの引出部１５ｂによって、分離された電気的な領域が形成されることから、好ましくない。したがって、引出部１５ｂは極力近づけて平行であることが好ましい。そこで、本実施形態では、垂直方向の画素列に対する引出部１５ｂの傾斜角度を、モアレの発生を抑えながら、アンテナ性能の低下を極力抑えることができる１５°に設定している。
【００３８】
アンテナパターン１５が僅かにでも見えることを考慮すれば、アンテナパターン１５を図示するように左右対称な形状に形成することが好ましい。しかしながら、外観上の形状を考慮する必要がない場合、アンテナパターン１５の代わりに、図４（ａ）に示すようなアンテナパターン１０１や、図４（ｂ）に示すアンテナパターン１０２を採用してもよい。図４（ａ）に示すアンテナパターン１０１は、ループ部１５ａと同様の形状をなすループ部１０１ａと、引出部１０１ｂとを有している。引出部１０１ｂは、互いに平行となり、図中の右側斜め下方に延びるように形成されている。一方、図４（ｂ）に示すアンテナパターン１０１は、ループ部１５ａと同様の形状をなすループ部１０２ａと、引出部１０２ｂとを有している。引出部１０２ｂは、互いに平行となり、図中の左側斜め下方に延びるように形成されている。上記のような引出部１０１ｂ，１０２ｂは、それぞれ平行かつ傾斜して形成されているので、電気的な特性を良好に維持しつつ、モアレの発生も回避できる。
【００３９】
なお、このアンテナパターン１０１，１０２は、後述する実施の形態３および４にも適用することができる。
【００４０】
アンテナパターン１５は、それぞれ５μｍ〜４０μｍの範囲の幅を有している。５μｍはアンテナパターン１５のエッチングの限界値であり、４０μｍは視界に入っても気にならない最大の値である。また、アンテナパターン１５同士の間隔は、１５０μｍ〜６００μｍの範囲に設定されている。逆に、アンテナパターン１５同士の間隔が１５０μｍより狭いと、アンテナパターン１５の幅を上記の範囲に設定しても、混色作用により、濃く見えてしまう。また、アンテナパターン１５同士の間隔が６００μｍより広いと、経験上アンテナ効率が下がるので好ましくない。
【００４１】
アンテナパターン１５の幅とアンテナパターン１５間の間隔を上記のように設定することにより、アンテナパターンが目立ちにくくなる。また、表示パネル１４に表示される画像の彩度がある程度高いとアンテナパターン１５が見えにくくなり、当該画像の明度が高くなるほどアンテナパターン１５が見えやすくなる。そこで、アンテナパターン１５が配置される部分に表示される画像の彩度を高くし、かつ明度を低くすることにより、アンテナパターン１５をほとんど目立たなくすることができる。例えば、アンテナパターン１５が配置される部分には、上記のような彩度および明度を有するＩＣカードの画像を表示すれば、ユーザはアンテナを意識することなくＩＣカードを当てる位置を容易に把握することができる。
【００４２】
このように、本実施の形態では、アンテナパターン１５を金属材料で形成しても、アンテナパターン１５を目立たなくすることができる。それゆえ、高価な透明配線材料を用いることなくアンテナ性能を低下させずに安価にアンテナパターン１５を提供することができる。
【００４３】
本実施の形態は、タッチパネル１３にアンテナパターン１５が形成されることにより、３．５インチ以上のタッチパネルに適用してもアンテナパターン１５を目立ちにくくすることができる。また、本実施の形態は、アンテナパターン１５の大きさによってサイズは制限されるが、３．５インチ以下のタッチパネルにも適用が可能である。
【００４４】
〔実施の形態３〕
本考案の実施形態について図４に基づいて説明すると以下の通りである。
【００４５】
なお、本実施の形態において、前記の表示入力装置１１における構成要素と同等の機能を有する構成要素については、同一の符号を付記して、その説明を省略する。
【００４６】
図４（ａ）および（ｂ）に示すように、表示入力装置２１は、前述の表示入力装置１１と同様、筐体１２と、タッチパネル１３と、表示パネル１４とを備えている。
【００４７】
タッチパネル１３の裏面側には、前述のフィルム基材１６の代わりに、アンテナパターン１５が形成された透明なフィルム基材１７が貼り付けられている。このフィルム基材１７は、アンテナパターン１５の形状と同様な形状で、アンテナパターン１５よりやや大きく形成されている。具体的には、フィルム基材１７の切れ目が目立ちにくくするために、フィルム基材１７は、最も外側に配置されるアンテナパターン１５から１５０μｍ〜５ｍｍの範囲で離れた位置が外周端部となるように形成されている。
【００４８】
このアンテナパターン１５も、前述のフィルム上に形成されるのと同様に、導電性に優れた金属材料を用いて印刷やエッチング等によってフィルム基材１７上に形成されている。フィルム基材１７にアンテナパターン１５を形成する場合、具体的には、大きなフィルム材料上にアンテナパターン１５を多数組形成した後、各組のアンテナパターン１５毎にフィルム基材１７を型抜きすることで、アンテナパターン１５が形成されたフィルム基材１７を切り出していく。
【００４９】
このように、フィルム基材１７をアンテナパターン１５の形状に沿って小さく形成するので、前述のフィルム基材１６と比べて、１つのフィルム材料からより多くの組のアンテナパターン１５が形成されたフィルム基材１７を効率的に得ることができる。これに対し、フィルム基材１６のサイズを小さくすれば、１つのフィルム材料からより多くのフィルム基材１６を得ることができる。しかしながら、フィルム基材１６が方形である限り、フィルム基材１６を極力小さくしても、フィルム基材１７より小さくすることはできないので、１つのフィルム材料から得られるフィルム基材１６の数はフィルム基材１７に比べて少ない。
【００５０】
フィルム基材１６のサイズを小さくした場合、表示パネル１４のサイズよりも小さくなることから、表示パネル１４の画面上にフィルム基材１６の外周端部が位置することになる。この外周端部は表示される垂直方向の画素列と平行になる部分を含むことから、外周端部と画素列との干渉でモアレが生じてしまう。これに対して、フィルム基材１７は、アンテナパターン１５と同様に外周端部が、垂直方向の画素列に対して傾斜しているので、外周端部では上記のようなモアレを生じない。また、外周端部がアンテナパターン１５に沿っているので、アンテナパターン１５の一部のように見えることになり、アンテナパターン１５とは別の部材が存在することをユーザに意識させない。
【００５１】
〔実施の形態４〕
本考案の実施形態について図５に基づいて説明すると以下の通りである。
【００５２】
図５に示すように、リーダ／ライタモジュール３１（近距離無線通信用アンテナ部品）は、前述のアンテナパターン１５が形成されたフィルム基材１７と、テール部３２と、コントロールモジュール３３（送受信処理部品）とを有している。
【００５３】
テール部３２は、アンテナパターン１５とコントロールモジュール３３とを電気的に接続する伝送用の配線がフレキシブル基板上に形成された接続部品である。このテール部３２は、フィルム基材１７に接続される接続部３２ａと、接続部３２ａからコントロールモジュール３３側に細長く形成された延長部３２ｂとを有している。
【００５４】
接続部３２ａは、両方の引出部１５ｂの端部と接続部３２ａにおける配線パターンとが接続されるように、フィルム基材１７と圧着接続されている。また、延長部３２ｂは、端部に図示しない接続端子を有しており、この接続端子によってコントロールモジュール３３のコネクタ３３ａと接続されている。
【００５５】
コントロールモジュール３３は、ＩＣカードに電力を供給するためにキャリア信号を出力し、データ送受信のためにキャリア信号を変調・復調する。コントロールモジュール３３は、このような機能を実現するために、基板上に各種の電子部品が搭載されることによって構成されている。
【００５６】
上記のように構成されるリーダ／ライタモジュール３１は、図５に示すように、フィルム基材１７の部分でタッチパネル１３に光学部品用の両面テープ等によって貼り付けられる。これにより、タッチパネル１３におけるフィルム基材１７の貼り付け部分にＩＣカードを当てると、ＩＣカードとアンテナパターン１５との間で電波や電磁波による通信が行われる。
【００５７】
上記のようなリーダ／ライタモジュール３１を予め製作しておくことにより、如何なるサイズのタッチパネル１３とでもリーダ／ライタモジュール３１を組み合わせることができる。これにより、電波法で規定された総務大臣による型式指定をリーダ／ライタモジュール３１に対して受けることにより、リーダ／ライタモジュール３１と組み合わされたタッチパネル１３については型式指定を受ける必要がない。これにより、サイズの異なるタッチパネル１３を製品として出荷できるまでの期間を短縮することができる。
【００５８】
実施の形態３の表示入力装置１１，２１では、アンテナパターン１５がタッチパネル１３に形成された状態（アンテナ付タッチパネル）で型式指定を受ける場合、サイズの異なるタッチパネル１３に対してそれぞれ型式指定を受ける必要がある。このため、タッチパネル１３を製品として出荷できるまでの期間が長引いてしまう。
【００５９】
上記の型式指定としては、電波法１００条で規定される高周波利用設備（例えばＲＦＩＤで使用される１３．５６ＭＨｚの誘導式読み書き通信設備）に対して申請されるものがある。
【００６０】
なお、本実施の形態では、アンテナパターン１５とコントロールモジュール３３とを接続するためにフレキシブルなテール部３２を用いている。これにより、テール部３２を曲げて、コントロールモジュール３３をタッチパネル１３と重なるように配置すれば、省スペース化を図ることができる。ただ、そのような省スペース化を図る必要がなければ、テール部３２を省略して、フィルム基材１７に接続端子を設けることにより、アンテナパターン１５をコントロールモジュール３３に直接接続するようにしてもよい。これにより、テール部３２を省略して、部品点数の削減を図ることができる。
【００６１】
また、本実施の形態で用いるアンテナパターン１５は、その中心軸がタッチパネル１３（前述の表示パネル１４）の垂直方向と一致するように配置されるようにフィルム基材１７が貼り付けられることにより、垂直方向の画素列に対して１５°以上の角度をなすように位置する。しかしながら、そのような位置決めに関わらず、少なくともアンテナパターン１５の主要部分であるループ部１５ａが方形をなしていれば、ループ部１５ａそのものが図５に示すように傾斜していなくても、フィルム基材１７をタッチパネル１３に貼り付けるときに、垂直方向の画素列に対して１５°以上の角度をなすようにループ部１５ａの傾きを調整してアンテナパターン１５を配置することができる。
【００６２】
本考案は上述した実施形態に限定されるものではなく、請求項に示した範囲で種々の変更が可能である。すなわち、請求項に示した範囲で適宜変更した技術的手段を組み合わせて得られる実施形態についても本考案の技術的範囲に含まれる。
【産業上の利用可能性】
【００６３】
本考案の近距離無線通信用アンテナ付タッチパネルは、表示パネルによる表示の視認性を安価に向上させることができるので、ＩＣカード等との非接触通信に好適に利用することが可能である。
【符号の説明】
【００６４】
３，１３    タッチパネル
３ａ        有効タッチ領域
４，１４    表示パネル
５，１５    アンテナパターン
１６，１７    フィルム基材
３１    リーダ／ライタモジュール（近距離無線通信用アンテナ部品）
３３    コントロールモジュール（送受信処理部品）
１０１，１０２  アンテナパターン
【図１】
0003160091.tif 000003
【図２】
0003160091.tif 000004
【図３】
0003160091.tif 000005
【図４】
0003160091.tif 000006
【図５】
0003160091.tif 000007